(57)【特許請求の範囲】
【請求項１】
ヘッダ部分に配された制御情報パックと、複数種類の情報信号データの複数の情報信号パックとからなるセルを単位として再生する情報信号再生装置において、
記録媒体から読み取られたデータが入力されて、入力された上記パックの種類を解析する解析手段と、
上記入力データの上記各パックを上記解析手段の解析結果に基づいて後段に振り分けて出力する振り分け出力手段と、
上記セルのヘッダ部分に配されている上記制御情報パック内のデータを上記解析手段が解析終了した時に上記解析手段への上記入力データの供給を停止させる停止制御手段と
を備える情報信号再生装置。
【請求項２】
上記記録媒体からこれらデータを蓄積して上記解析手段に送るトラックバッファを有し、上記停止制御手段は、上記セルのヘッダ部分に配されている上記制御情報パックのデータを上記解析手段が解析終了した時に上記トラックバッファからのデータの読み出しを停止させることで、上記解析手段への上記データの供給を停止させること
を特徴とする請求項１記載の情報信号再生装置。
【請求項３】
上記制御情報パックのデータが書き込まれるバッファを備え、上記停止制御手段は、そのバッファに書き込まれた上記制御情報パックのデータに基づいて上記解析手段への上記データの供給を停止させること
を特徴とする請求項１記載の情報信号再生装置。
【請求項４】
上記複数の種類の内の少なくとも一の種類に属する上記情報信号データは、画像が圧縮されてなるデータであること
を特徴とする請求項１記載の情報信号再生装置。
【請求項５】
ヘッダ部分に配された制御情報パックと、複数種類の情報信号データの複数の情報信号パックとからなるセルを単位として再生する情報信号再生方法において、
記録媒体から読み取られたデータが入力されて、入力された上記パックの種類を解析する解析工程と、
上記入力データの上記各パックを上記解析工程での解析の結果に基づいて後段に振り分けて出力する振り分け出力工程と、
上記セルのヘッダ部分に配されている上記制御情報パック内のデータを上記解析工程が解析終了した時に上記解析工程への上記入力データの供給を停止させる停止制御工程と
を備える情報信号再生方法。
【請求項６】
上記記録媒体からこれらデータを蓄積して上記解析工程に送るトラックバッファを有し、上記停止制御工程は、上記セルのヘッダ部分に配されている上記制御情報パックのデータを上記解析工程が解析終了した時に上記トラックバッファからのデータの読み出しを停止させることで、上記解析工程への上記データの供給を停止させること
を特徴とする請求項５記載の情報信号再生方法。
【請求項７】
上記制御情報パックのデータが書き込まれるバッファを備え、上記停止制御工程では、そのバッファに書き込まれた上記制御情報パックのデータに基づいて上記解析工程への上記データの供給を停止させること
を特徴とする請求項５記載の情報信号再生方法。
【請求項８】
上記複数の種類の内の少なくとも一の種類に属する上記情報信号データは、画像が圧縮されてなるデータであること
を特徴とする請求項５記載の情報信号再生方法。
【発明の詳細な説明】
【０００１】
【発明の属する技術分野】
本発明は、例えば光ディスクに記録された種類の異なる複数のデータを再生する情報信号再生装置および方法に関し、詳しくは、種類の異なる複数のデータを適切に振り分けてから再生する情報信号再生装置および方法に関する。
【０００２】
【従来の技術】
記録媒体、例えば、ディジタル・ビデオ・ディスク（以下、ＤＶＤという。）に情報信号を記録する方式としてディジタル画像信号等を圧縮符号化するＭＰＥＧ２（Motion Picture coding Experts Group 2)方式が従来提案されている。
【０００３】
このＭＰＥＧ２方式では、フレ−ム間予測によって予測符号化された複数のフレームから構成され、例えば１５フレームからなる単位、１ＧＯＰ(Group Of Pictures)から構成される。１ＧＯＰにおいてＩピクチャが１フレ−ム、Ｐピクチャが４フレ−ム、残る１０フレ−ムがＢピクチャとされている。なお、ＧＯＰは動画の１シ−ケンスを分割した符号化の単位である。
【０００４】
このＩピクチャは１フレ−ム内において予測符号化されたフレ−ム内予測符号化画像であり、Ｐピクチャはすでに符号化された時間的に前のフレ−ム（ＩピクチャあるいはＰピクチャ）を参照して予測するフレ−ム間順方向予測符号化画像であり、Ｂピクチャは時間的に前後の２フレ−ムを参照して予測する双方向予測符号化画像である。
【０００５】
ＤＶＤは、上述のようなＭＰＥＧ２フォーマットによって圧縮符号化された画像データを記録しており、例えば、映画の１作品等の単位とされて、Video Object Set（以下、ＶＯＢＳという。）で記録されている。このＶＯＢＳは、複数のVideo Object（以下、ＶＯＢという。）から構成されている。ＤＶＤでは、例えば、１つの映画を複数のスト−リ−展開で見ることができるマルチスト−リ機能といったフォ−マットを備えており、このような機能はこのＶＯＢごとで異なるスト−リ展開になる。
【０００６】
このＶＯＢは、複数のＣｅｌｌにより構成される。このＣｅｌｌは、例えば映画における１シ−ン等の単位となる。すなわち、この１シ−ン毎の組み合わせがＶＯＢとなり、この組み合わせの違いにより上述したマルチスト−リ機能を構成することができる。また、このＣｅｌｌの再生順、又は記録位置等に関する情報は、ＤＶＤのＰＧＣＩ（Program Chane Information）内に記録されている。
【０００７】
Ｃｅｌｌは、複数のVideo Object Unit（以下、ＶＯＢＵという。）により構成されている。このＶＯＢＵは、動画像で０．４から１．２秒の単位であり、このＶＯＢＵの中にＭＰＥＧ２のフォーマットにおける上述のＧＯＰが含まれている。
【０００８】
例えばセルスチル（Ｃｅｌｌ  ＳＴＩＬＬ）動作は、このＣｅｌｌ単位で再生を実行する。セルスチル動作は、１Ｃｅｌｌ（１シーン）を再生終了してから、ユーザからの命令又はタイマのカウントの終了のコマンドを受け取るまで、次の１Ｃｅｌｌ（１シーン）の再生を待つ動作である。例えば、セルスチル動作のＣｅｌｌの読み込みにおいて、Ｃｅｌｌの再生順、記録位置等が記録される上記ＰＧＣＩが参照される。
【０００９】
上記ＶＯＢＵは、ＶＯＢＵの制御情報データを有するナビゲーションパック（ＮＶ＿ＰＣＫ）と、主映像データを有する主映像パック（Ｖ＿ＰＣＫ）と、音声データを有する音声パック（Ａ＿ＰＣＫ）と、副映像データを有する副映像パック（ＳＰ＿ＰＣＫ）とにより構成されている。ナビゲーションパックは、各ＶＯＢＵのヘッダ部分に記録されており、同ＶＯＢＵ内に記録されている映像パック、副映像パック及び音声パックに関する情報が記録されている。
【００１０】
ＤＶＤ再生装置は、上述のようにデータフォーマットによって構成されているＤＶＤに適用される。ＤＶＤ再生装置は、ＤＶＤからの再生したＲＦ信号を伸長するデータデコーダと、伸長したデータ、すなわち上述のナビゲーションパック、映像パック、副映像パック及び音声パックをデコードするビデオデコーダ、副映像デコーダ及びオーディオデコーダと、この各デコーダに上記映像パック、副映像パック及び音声パックを振り分けて出力するデマルチプレクサと、上記データデコーダ、上記各デコーダ及びデマルチプレクサを制御するコントローラとを備えている。
【００１１】
ＤＶＤ再生装置において、ＲＦ信号は、上記データデコーダによって伸長される。データデコーダは、上記ＲＦ回路により生成されたディジタルデータに基づきデータの復調や誤り訂正等の処理を行う。データデコーダにより復調等がされたデータがデマルチプレクサに供給される。
【００１２】
上記デマルチプレクサは、入力されたデータからなるナビゲーションパック、映像パック、副映像パック及び音声パックの各パックのヘッダに記録されている情報によってナビゲーションパック、映像パック、副映像パック及び音声パックを後段の各デコーダに振り分けて出力する。
【００１３】
なお、ナビゲーションパックは、デマルチプレクサの有するナビゲーションパック収納用のバッファに書き込まれる。コントローラは、このデマルチプレクサのバッファに収納されたナビゲーションパックをアクセスして、当該ナビゲーションパックの情報に従ってシステムを制御する。また、データデコーダの出力側には当該データデコーダが伸長したＤＶＤからからのデータを書き込むトラックバッファを有している。
【００１４】
デマルチプレクサからの映像パック、副映像パック及び音声パックが入力されたビデオデコーダ、副映像デコーダ及びオーディオデコーダは、それぞれパック内の主映像圧縮データ、副映像圧縮データ及び音声圧縮データを伸長して出力する。
【００１５】
【発明が解決しようとする課題】
ところで、上記セルスチル動作が実行された場合、ＤＶＤ再生装置は、表１に示すような動作手順（１→…→６）によってＤＶＤからＣｅｌｌＡ、ＣｅｌｌＢを読み込み、再生する。
【００１６】
【表１】
0003769863.tif 000002
【００１７】
すなわち、ＤＶＤ再生装置は、シーク動作を行い、ＣｅｌｌＡを読み込み、読み込んだＣｅｌｌＡのデータをデマルチプレクサに供給する。そして、起動状態にあるデマルチプレクサによって、各パックをデマルチプレクサの後段のデコーダに出力してデータの再生を行う。このとき、デマルチプレクサは、ＣｅｌｌＡの再生終了の待ち状態になる。
【００１８】
そして、ユーザからの命令を受け取ってから又はタイマのカウントが終了してから、ＤＶＤ再生装置は再度シーク動作を行い、次のＣｅｌｌＢを読み込み、読み込んだＣｅｌｌＢのデータをデマルチプレクサに供給する。そして、起動状態にあるデマルチプレクサによって、デマルチプレクサの後段のデコーダに各パックを出力してデータの再生を行う。このとき、デマルチプレクサは、ＣｅｌｌＢの再生終了の待ち状態になる。
【００１９】
しかし、上述のように、ＣｅｌｌＡの再生終了後、ユーザからの命令又はタイマのカウントの終了等のコマンドを確認してからＣｅｌｌＢをシークしたのでは、当該コマンドを受けてからＣｅｌｌＢの再生を実際に開始するまで時間がかかってしまう。
【００２０】
そこで、本発明は、上述の実情を鑑みてなされたものであって、各Ｃｅｌｌを円滑且つ速やかに再生することができる情報信号再生装置および方法の提供を目的とする。
【００２１】
【課題を解決するための手段】
本発明に係る情報信号再生装置は、上述の課題を解決するために、記録媒体から読み取られたデータが入力されて、入力された上記パックの種類を解析する解析手段と、入力データの各パックを解析手段の解析結果に基づいて後段に振り分けて出力する振り分け出力手段と、セルのヘッダ部分に配されている制御情報パック内のデータを解析手段が解析終了した時に解析手段への入力データの供給を停止させる停止制御手段とを備える。このように構成することで、情報信号再生装置は、情報制御パックの解析直後において解析手段へのデータの供給を停止させる。
【００２２】
また、本発明に係る情報信号再生方法は、上述の課題を解決するために、記録媒体から読み取られたデータが入力されて、入力された上記パックの種類を解析する解析工程と、入力データの上記各パックを解析工程での解析の結果に基づいて後段に振り分けて出力する振り分け出力工程と、セルのヘッダ部分に配されている制御情報パック内のデータを上記解析工程が解析終了した時に解析工程への入力データの供給を停止させる停止制御工程とからなる。このようになされた情報信号再生方法は、情報制御パックの解析直後において解析手段へのデータの供給を停止させる。
【００２３】
【発明の実施の形態】
以下、本発明の実施の形態について図面を用いて説明する。この実施の形態は、本発明に係る情報信号再生装置をＭＰＥＧ２（Motion Picture coding Experts Group 2)方式によってディジタル画像信号等が圧縮符号化されて記録されている記録媒体、例えばディジタル・ビデオ・ディスク（以下、ＤＶＤと記す。）を再生するように適用したＤＶＤ再生装置である。
【００２４】
第１の実施の形態のＤＶＤ再生装置１は、図１に示すように、記録媒体からのナビゲーションパック（ＮＶ＿ＰＣＫ）、音声パック（Ａ＿ＰＣＫ）、副映像パック（ＳＰ＿ＰＣＫ）６及びＭＰＥＧ２（Motion Picture coding Experts Group 2)方式によって圧縮符号化された映像データからなる映像パック（Ｖ＿ＰＣＫ）を後段の回路に振り分け出力するデマルチプレクサ５を備えている。
【００２５】
上記ナビゲーションパック、映像パック、副映像パック及び音声パックは、それぞれが情報信号データである制御情報データ、映像圧縮データ、副映像圧縮データ及び音声圧縮データを有している。なお、ナビゲーションパック、映像パック、副映像パック及び音声パックとからＤＶＤ記録フォーマットにおけるＣｅｌｌ（セル）が構成される。ＤＶＤ再生装置１００は、このＣｅｌｌを一単位としてデータを再生する。例えば１Ｃｅｌｌは、１シーンに相当するデータから成っている。
【００２６】
上記デマルチプレクサ５は、記録媒体から読み取られたデータが入力されて、入力された上記パックの種類を解析するストリーム解析回路２１と、ストリーム解析回路２１の解析結果に基づいて出力された切り換え信号をもとに、入力データの上記各パックを振り分けて後段の回路に出力する切り換えスイッチ２２と、Ｃｅｌｌのヘッダ部分に配されているナビゲーションパック内のデータをストリーム解析回路２１が解析終了した時にストリーム解析回路２１への上記入力データの供給を停止させる停止制御回路２４と、切り換えスイッチ２２によって振り分けられて出力されたナビゲーションパックが書き込まれるバッファ２３とから構成される。
【００２７】
また、後に詳しく説明するが、デマルチプレクサ５の前段には、データデコーダ４が配設されている。データデコーダ４は、記録媒体から入力されたデータの復調等の処理を行い、その出力段にトラックバッファ４ａを有している。このトラックバッファ４ａからデータが上記デマルチプレクサ５に読み出される。
【００２８】
このようにデマルチプレクサ５を構成することで、ＤＶＤ再生装置１００は、後述するように連続してＣｅｌｌ単位でデータをＤＶＤから読み込み、さらに読み込んだＣｅｌｌ部のデータを遅滞なく再生することができる。
【００２９】
このデマルチプレクサ５は、図２に示すようなＤＶＤ再生装置１００に適用されて構成される。ここで、ＤＶＤ再生装置１００によって再生可能とされる記録媒体１、例えばＤＶＤは、上述のようにＭＰＥＧ２方式によって画像データ等が圧縮符号化されて記録されている。
【００３０】
ＤＶＤは、図３に示すように、例えば、映画の１作品等の単位とされて、Video Object Set（以下、ＶＯＢＳという。）で記録されている。このＶＯＢＳは、複数のVideo Object（以下、ＶＯＢという。）から構成されている。ＤＶＤでは、例えば、１つの映画を複数のスト−リ−展開で見ることができるマルチスト−リといったフォ−マットを備えており、このような機能はこのＶＯＢごとで異なるスト−リ展開になる。
【００３１】
このＶＯＢは、複数のＣｅｌｌにより構成される。Ｃｅｌｌは、例えば映画における１シ−ン等の単位となる。すなわち、この１シ−ン毎の組み合わせがＶＯＢとなり、この組み合わせの違いにより上記マルチスト−リ機能等を構成する。マルチストーリ機能とは、あらかじめＤＶＤに複数のストーリを記録しておき、視聴者が再生中に表示されるメニューでストーリ展開などを選べる機能である。
【００３２】
Ｃｅｌｌは、複数のVideo Object Unit（ＶＯＢＵ）により構成されている。ＶＯＢＵは、動画像で０．８から１．２秒の単位であり、ＭＰＥＧ２のフォーマットにおけるGroup of Pictures（以下、ＧＯＰという。）を含んでいる。なお、Ｃｅｌｌは、再生順にＤＶＤ上に記録されていない場合が多く、そのためＣｅｌｌの再生順、記録位置等に関する情報は、ＤＶＤ上のＰＧＣＩ（Program Chane Information）に記録されている。
【００３３】
ＧＯＰは、ＭＰＥＧ２方式におけるフレ−ム間予測の構造の単位であって、Ｉピクチャ、Ｐピクチャ、Ｂピクチャの３種類のフレームから構成され、例えば全１５フレ−ムで構成されている。１ＧＯＰにおいてＩピクチャが１フレ−ム、Ｐピクチャが４フレ−ム、残る１０フレ−ムがＢピクチャとされている。なお、ＧＯＰは動画の１シ−ケンスを分割した符号化の単位である。
【００３４】
映像パック（Ｖ＿ＰＣＫ）は、図４に示すように、パックヘッダと、パケットヘッダ及びビデオデータからなる映像パケット（Ｖ＿ＰＫＴ）から構成される。映像パケットのビデオデータ部には、上述のＩピクチャ、Ｐピクチャ、Ｂピクチャが記録されている。
【００３５】
ナビゲーションパックは、図５に示すように、パックヘッダと、システムヘッダと、ＰＣＩパケット（Presentation Control Information Paket；ＰＣＩ＿ＰＫＴ）と、ＤＳＩパケット（Data Search Information Paket；ＤＳＩ＿ＰＫＴ）とから構成される。
【００３６】
上記ＰＣＩパケットには、上記映像データの再生制御情報が含まれる。このＰＣＩパケットは、パケットヘッダと、sub_stream_idと、ＰＣＩデータとから構成される。ＰＣＩパケットにおいて、ＰＣＩデータエリアは、図６に示すように、構成される。
【００３７】
上記ＤＳＩパケットには、各データのデータサーチ情報が含まれる。このＤＳＩパケットは、パケットヘッダと、sub_stream_idと、ＰＣＩデータとから構成される。ＤＳＩパケットにおいて、ＤＳＩデータエリアは、図７に示すように、構成される。なお、上記システムヘッダは、図８に示すような情報によって構成される。
【００３８】
上記ナビゲーションパック（ＮＶ＿ＰＣＫ）、映像パック（Ｖ＿ＰＣＫ）、副映像パック（ＳＰ＿ＰＣＫ）及び音声パック（Ｖ＿ＰＣＫ）は、図３に示すように、上記ＶＯＢＵを構成する。なお、ＶＯＢＵは、ヘッダ部分にナビゲーションパックが記録され、その後に複数の映像パック、副映像パック及び音声パックが記録される。そして、このＶＯＢＵは、上述したように、複数となってＣｅｌｌを構成している。よって、Ｃｅｌｌのヘッダ部分には、当該Ｃｅｌｌのヘッダ部分に位置するＶＯＢＵのナビゲーションパックが配置される。
【００３９】
ＤＶＤ再生装置１００は、以上のようなデータフォーマットによって情報信号が記録されたＤＶＤの再生を行う情報信号の再生装置である。そして、ＤＶＤ再生装置１００は、Ｃｅｌｌのヘッダ部分に配されるナビゲーションパックを認識することで当該ナビゲーションパックがヘッダ部分に配されているＣｅｌｌ内のデータの再生を行えるように構成される。
【００４０】
ＤＶＤ再生装置１００は、図２に示すように、記録媒体１からのＲＦ信号を再生するピックアップ２と、このピックアップ２により再生されたＲＦ信号が供給されこのＲＦ信号の２値化処理等を行うＲＦ回路３と、ＲＦ回路３からの再生データが供給されエラー訂正等のデコード処理をするデータデコーダ４と、データデコーダ４からのデータをナビゲーションパック、映像パック，副映像パック及び音声パック毎に振り分けて後段の回路に出力するデマルチプレクサ５とを備える。
【００４１】
また、ＤＶＤ再生装置１００は、デマルチプレクサ５から出力された映像パック内の主映像圧縮データを伸長するビデオデコーダ６と、副映像パック内の上記副映像圧縮データを伸長して上記主映像データと合成する副映像デコーダ７と、音声パック内の上記音声圧縮データを伸長するオーディオデコーダ８と、副映像デコーダ７からの主映像データと副映像データが合成された映像データが供給されＮＴＳＣ信号又はＰＡＬ信号に変換するデジタル／ＮＴＳＣ，ＰＡＬ変換回路（以下、単にＮＴＳＣ変換回路という。）９と、オーディオデコーダ８からのオーディオデータが供給されアナログ信号に変換するデジタル／アナログ変換回路（以下、単にＡ／Ｄ変換回路という。）１０とを備えている。
【００４２】
また、このＤＶＤ再生装置１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＡ／Ｄ変換回路１０を制御するコントローラ１１と、このコントローラ１１とユーザーの操作入力を媒介するユーザーインターフェース１２と、コントローラ１１のデータ記憶部となるメモリ１３とを備える。
【００４３】
以下に各回路についてさらに詳しく説明する。
【００４４】
上記ピックアップ２は、当該ピックアップ２に組み込まれているレーザ光源からのレーザ光を記録媒体１の信号記録面に照射して、信号記録面で反射された反射光を受光する。ピックアップ２は、受光した光に応じて再生したＲＦ信号をＲＦ回路３に供給する。
【００４５】
ＲＦ回路３は、このＲＦ信号の波形等化及び２値化等をしてディジタルデータとその同期信号等を生成する。このＲＦ回路３により生成されたディジタルデータ等は、データデコーダ４に供給される。
【００４６】
データデコーダ４は、ＲＦ回路３により生成されたディジタルデータに基づきデータの復調や誤り訂正等の処理を行う。データデコーダ４により復調等がされたデマルチプレクサ５に供給される。
【００４７】
なお、データデコーダ４は、出力段にトラックバッファ４ａを有している。トラックバッファ４ａにより、データデコーダ４とデマルチプレクサ５との処理速度の違いが吸収される。
【００４８】
デマルチプレクサ５は、データデコーダ４によりエラー訂正のデコード処理等が施された記録媒体１から再生したデータを上記各パック毎に振り分けて後段の回路に出力する。
【００４９】
デマルチプレクサ５は、図１を用いて先に説明したように、ストリーム解析回路２１と、切り換えスイッチ２２と、バッファ２３と、停止制御回路２４とから構成される。
【００５０】
上記ストリーム解析回路２１は、入力されたパックの種類、すなわちナビゲーションパック、映像パック、副映像パック、音声パックの何れのパックであるかを解析する。ストリーム解析回路２１は、上記データデコーダ４のバッファ４ａより各パックが供給され、供給されたパックの種類を解析した結果に基づいて後段の切り換えスイッチ２２に切り換え信号を送出する。なお、ストリーム解析回路２１は、上記切り換え信号とともに、解析したパックを後段の切り換えスイッチ２２に出力する。
【００５１】
また、上記ストリーム解析回路２１には、停止制御回路２４が接続されている。停止制御回路２４は、ストリーム解析回路２１の解析結果に基づいてストリーム解析回路２１の動作を規制する。この停止制御回路２４は、例えば上記ストリーム解析回路２１がＣｅｌｌのヘッダ部分に位置するナビゲーションパックを解析したときであって、その解析終了後にストリーム解析回路２１へのパックの供給を停止させることができる。停止制御回路２４は、ストリーム解析回路２１へのパックの供給の停止を、例えばデータデコーダ４のトラックバッファ４ａに読み出し停止信号を出力してトラックバッファ４ａからのデータの読み出しを停止させることで行う。
【００５２】
上記切り換えスイッチ２２は、パックの種類の分だけの出力端子を有して構成される。切り換えスイッチ２２は、入力されたパックを上記ストリーム解析回路２１からの振り分け信号に基づいて後段の各デコーダに振り分けて出力する。ここで、ナビゲーションパックは、切り換えスイッチ２２によってバッファ２３に振り分けられて出力される。
【００５３】
例えば、切り換えスイッチ２２からバッファ２３への送信は、図９に示すように、ナビゲーションパックストローブパルスのＬｏｗ区間内にクロック信号に同期されて行われる。例えば、クロック信号の単位クロックにつき１バイトのデータが同期されて送信される。
【００５４】
なお、切り換えスイッチ２２は、上記停止制御回路２４にナビゲーションパックを送出することもできる。この場合、停止制御回路２４は、切り換えスイッチ２２を介してナビゲーションパックが入力（図１中破線）された直後に、上述のようにストリーム解析回路２１へのデータの供給を停止する。
【００５５】
バッファ２１は、コントローラ１１によって常にアクセスされている。バッファ２１に書き込まれたナビゲーションパックは、コントローラ１１によって読み込まれる。コントローラ１１は、読み込んだナビゲーションパックの情報に基づいて、例えばシステムを制御する。
【００５６】
このように構成することで、デマルチプレクサ５は、Ｃｅｌｌが入力される都度、停止することができるようになる。つまり、Ｃｅｌｌのヘッダ部分に記録されているナビゲーションパックを検知することにより自律停止することができるようになる。
【００５７】
上記デマルチプレクサ５は、映像パックをビデオデコーダ６に供給し、副映像パックを副映像デコーダ７に供給し、音声パックをオーディオデコーダ８に供給する。
【００５８】
ビデオデコーダ６は、映像パック内の主映像圧縮データの復号処理を行い、この復号処理により伸長化された主映像データを生成する。このビデオデコーダ６は、復号処理を行うために３画面分の画像メモリを有している。すなわち、ビデオデコーダ６は、ＭＰＥＧ２のフォーマットにおけるＩピクチャ，Ｐピクチャ，Ｂピクチャを画像メモリ上に復号して、この画像メモリから復号された各ピクチャを出力する。
【００５９】
副映像デコーダ７は、副映像パック内の副映像圧縮データの復号処理を行い、この復号処理をした副映像データをビデオデコーダ６から供給された主映像データに合成して、映像データを生成する。すなわち、副映像デコーダ７は、副映像データとして再生される字幕データ等を主映像と合成する。なお、この副映像デコーダ７は、副映像データが無い場合には、主映像データをそのまま映像データとして出力する。副映像デコーダ７は、生成した映像データをＮＴＳＣ変換回路９に供給する。
【００６０】
オーディオデコーダ８は、音声パック内の音声圧縮データの復号処理を行い、伸長した音声データを生成する。すなわち、オーディオデコーダ８は、音声圧縮データがＭＰＥＧ２のフォーマットで圧縮されていれば、これに対応した伸長処理をして、音声データを生成する。なお、このＭＰＥＧ２のフォーマットの他に、ＰＣＭ等のフォーマットで符号化されたものであれば、これに対応した複合処理を行う。オーディオデコーダ８は、生成した音声データをＡ／Ｄ変換回路１０に供給する。
【００６１】
ＮＴＳＣ変換回路９は、映像データをディジタルデータからＮＴＳＣやＰＡＬ等のテレビジョン信号に変換して出力する。この出力をモニタ等に供給することにより、視聴者が記録媒体１から再生した映像を視聴することができる。
【００６２】
Ａ／Ｄ変換回路１０は、ディジタルデータである音声データをアナログの音声データに変換して出力する。この出力をスピーカ等に供給することにより、ユーザーが記録媒体１から再生した映像を視聴することができる。
【００６３】
コントローラ１１は、ピックアップ２，ＲＦ回路３，データデコーダ４，デマルチプレクサ５，ビデオデコーダ６，副映像デコーダ７，オーディオデコーダ８，ＮＴＳＣ変換回路９及びＡ／Ｄ変換回路１０の制御を行う。
【００６４】
また、このコントローラ１１には、操作パネルやリモートコントローラであるユーザーインターフェース１２を介して操作入力がされ、この操作入力に基づき各回路の制御を行う。
【００６５】
以上のように構成されたＤＶＤ再生装置１によってＤＶＤの再生が行われる。ＤＶＤ再生装置１００はにおけるＣｅｌｌを読み込んだ際のデマルチプレクサ５の自律停止は、例えばユーザからの命令又はタイマのカウントが終了後にＣｅｌｌの再生を行うセルスチル（Ｃｅｌｌ  ＳＴＩＬＬ）動作を行う場合に効果的に作用する。
【００６６】
セルスチル動作は、例えば１シーン（１Ｃｅｌｌ）毎にユーザからの命令又はタイマのカウントが終了等のコマンドを待って次のＣｅｌｌの再生を行う動作であって、例えば、ゲーム又は英会話の情報が記録されたＤＶＤに適用される再生動作である。
【００６７】
以下、このセルスチル動作について、例えば図１０に示すようにＤＶＤ上に離れて記録されたＣｅｌｌＡとＣｅｌｌＢとを連続して読み出して再生するときについて説明する。なお、簡略すると、セルスチル動作が実行された場合、ＤＶＤ再生装置１０は、表２に示すような動作手順（１→…→８）によってＤＶＤからＣｅｌｌＡ、ＣｅｌｌＢを読み込み、再生する。
【００６８】
【表２】
0003769863.tif 000003
【００６９】
ＤＶＤ再生装置１００は、例えば上記ＰＧＣＩの情報に基づいて、ＤＶＤ上において離れた位置に記録されているＣｅｌｌＡのデータとＣｅｌｌＢのデータとを図１１に示すように連続して次々に読み込んでくる。読み込んだＣｅｌｌＡのデータとＣｅｌｌＢのデータとは、例えばデータデコーダ４のトラックバッファ４ａに書き込まれる。
【００７０】
そして、最初に読み込まれたＣｅｌｌＡがデマルチプレクサ５にまず入力される。ＤＶＤ再生装置１００は、デマルチプレクサ５のストリーム解析回路２１によって読み込まれたＣｅｌｌのヘッダ部分に位置するナビゲーションパックを解析し、その解析の終了と同時に読み出し停止信号をデータデコーダ４のトラックバッファ４ａに出力する。これにより、デマルチプレクサ５はいわゆる自律停止状態になり、図１１に示すように、ＣｅｌｌＡのナビゲーションパックＮ1の解析し終了後に一時動作を停止する。
【００７１】
一方、ＣｅｌｌＡのナビゲーションパックＮ1は、切り換え信号に基づいて、切り換えスイッチ２２によって振り分けられてバッファ２３に書き込まれる。ＤＶＤ再生装置１００は、コントローラ１１によって、バッファ２３に書き込まれたナビゲーションパックＮ1の情報を基にしてＣｅｌｌＡであることを確認した後、トラックバッファ４ａからパックの読み出しを再スタートさせて、ＣｅｌｌＡの情報データの再生、すなわち図１１に示すように、音声パックＡ1以降のパックの再生を行う。
【００７２】
そして、ＣｅｌｌＡのパック部分が再生されていって、図１１に示すように、ＣｅｌｌＡに連続して入力されてきているＣｅｌｌＢのヘッダ部分のナビゲーションパックＮ2が入力されたとき、ＤＶＤ再生装置１００は、停止制御回路２４によってデマルチプレクサ５を停止状態にする。このデマルチプレクサ５のいわゆる自律停止状態において、ＣｅｌｌＢのナビゲーションパックＮ2は、バッファ２３に書き込まれて、コントローラ１１によって読み込まれる。
【００７３】
ＤＶＤ再生装置１００は，コントローラ１１によって、ナビゲーションパックＮ2の情報を基にしてＣｅｌｌＢであることを確認した後、セルスチル動作によってユーザからの命令又はタイマのカウントが終了するのを待つ。
【００７４】
そして、ユーザからの命令があった後又はタイマのカウントが終了した後、コントローラ１１によって、トラックバッファ４ａからのＣｅｌｌＢを読み出しを再スタートさせて、ＣｅｌｌＢの情報データの再生、すなわち図１１に示すように、映像パックＶ1以降のパックの再生を行う。
【００７５】
よって、ＤＶＤ再生装置１００は、Ｃｅｌｌのヘッダ部分に記録されたナビゲーションパックの解析直後にデマルチプレクサ５を停止させることができるために、上記セルスチル動作のように連続して複数のＣｅｌｌの再生及び停止を繰り返す場合、各Ｃｅｌｌを円滑に再生することができる。
【００７６】
例えば従来において、デマルチプレクサは、Ｃｅｌｌの境界を判断して、自ら停止することはできなかった。例えば、Ｃｅｌｌの境界の判断及び上記停止は、デマルチプレクサの得たデータ、例えばＣｅｌｌのヘッダ部分に配されるナビゲーションパック、を読み込んだコントローラがデマルチプレクサからの後段へのパックの振り分け動作を停止させて行われていた。
【００７７】
しかし、デマルチプレクサから情報を得た後にコントローラがデマルチプレクサの振り分け動作を停止させても後段のデコーダに一部のパックが出力されてしまう場合があり、一部のパックが出力されてしまったＣｅｌｌを再生するためには、再度読み出する必要とデマルチプレクサから後段の回路に出力されてしまったデータをクリアする必要があった。
【００７８】
すなわち、本発明が適用されたＤＶＤ再生装置１００は、Ｃｅｌｌのヘッダ部分に記録されたナビゲーションパックの解析直後にデマルチプレクサ５を自律停止することができるために、予めＣｅｌｌを装置内に取り込んでおくこともできるという利点がある。また、予めＣｅｌｌを装置内に取り込むことによって、ＤＶＤ再生装置１００は、例えば、上述のようなセルスチル動作においても、円滑且つ速やかに次々とＣｅｌｌを再生することができる。
【００７９】
そして、ＤＶＤ再生装置１００は、コントローラ１１によらずＣｅｌｌのヘッダ部分に記録されたナビゲーションパックの解析直後にデマルチプレクサ５を停止することができるために、コントローラ１１の負担が軽減される。例えば、コントローラ１１は、新たに入力されてくるＣｅｌｌの確認のためのナビゲーションパックの書き込み用バッファ２３へのアクセスが必要なくなるためである。
【００８０】
なお、上記ＤＶＤ再生装置１００は、セルスチル動作に作用することに限定されないことはいうまでもない。
【００８１】
次に第２の実施の形態について説明する。第２の実施の形態のＤＶＤ再生装置は、図１のように構成され、デマルチプレクサの構成を異ならせる以外は第１の実施の形態のＤＶＤ再生装置と同様に構成される。
【００８２】
なお、第２の実施の形態のＤＶＤ再生装置については、第１の実施の形態のＤＶＤ再生装置１００と同様な構成部についてその説明を省略する。
【００８３】
第２の実施の形態のＤＶＤ再生装置は、図１２に示すように、記録媒体からのナビゲーションパック（ＮＶ＿ＰＣＫ）、音声パック（Ａ＿ＰＣＫ）、副映像パック（ＳＰ＿ＰＣＫ）６及びＭＰＥＧ２方式によって圧縮符号化された映像データからなる映像パック（Ｖ＿ＰＣＫ）を後段の回路に振り分け出力するデマルチプレクサ５を備えている。
【００８４】
なお、第２の実施の形態となるＤＶＤ再生装置の備えるデマルチプレクサ５については、第１の実施の形態のＤＶＤ再生装置１００のデマルチプレクサ５と同一の構成部分についてその説明を省略する。
【００８５】
上記第２の実施の形態となるＤＶＤ再生装置の備えるデマルチプレクサ５は、記録媒体から読み取られた上記パックが入力されて、その入力されたパックの種類を解析するストリーム解析回路２１と、ストリーム解析回路２１の解析結果に基づいて出力された切り換え信号をもとに、入力されたパックを振り分けて後段の回路に出力する切り換えスイッチ２２と、切り換えスイッチ２２によって振り分けられて出力されたナビゲーションパックが書き込まれるバッファ２３とから構成される。
【００８６】
そして、デマルチプレクサ５のストリーム解析回路２１は、コントローラ１１の備える停止制御回路２５によってその動作が制御される。停止制御回路２５は、Ｃｅｌｌのヘッダ部分に記録されているナビゲーションパックをストリーム解析回路２１が解析終了した時にストリーム解析回路２１へのデータの供給を停止させる。
【００８７】
停止制御回路２５は、例えば、バッファ２３に書き込まれたナビゲーションパックを読み込んだ直後にストリーム解析回路２１へのデータの供給を停止させることができる。例えば、ストリーム解析回路２１へのパックの供給の停止を、データデコーダ４のトラックバッファ４ａに読み出し停止信号を出力してトラックバッファ４ａからのデータの読み出しを停止させることで行う。
【００８８】
このように構成することで、デマルチプレクサ５は、Ｃｅｌｌが入力される都度、停止することができるようになる。つまり、Ｃｅｌｌのヘッダ部分に記録されているナビゲーションパックを検知することにより自律停止することができるようになる。
【００８９】
よって、第２の実施の形態となるＤＶＤ再生装置は、Ｃｅｌｌのヘッダ部分に記録されたナビゲーションパックの解析直後にデマルチプレクサ５を停止させることができるために、上記セルスチル動作のように連続して複数のＣｅｌｌの再生及び停止を繰り返す場合、各Ｃｅｌｌを円滑に再生することができる。
【００９０】
そして、上記ＤＶＤ再生装置は、Ｃｅｌｌのヘッダ部分に記録されたナビゲーションパックの解析直後にデマルチプレクサ５を停止させることができるために、予めＣｅｌｌを装置内に取り込んでおくことができる。よって、ＤＶＤ再生装置は、予めＣｅｌｌを装置内に取り込むことによって、例えば、上述のようなセルスチル動作においても、速やかに次々とＣｅｌｌを再生することができる。
【００９１】
なお、上記ＤＶＤ再生装置は、セルスチル動作に作用することに限定されないことはいうまでもない。
【００９２】
【発明の効果】
本発明に係る情報信号再生装置は、セルのヘッダ部分に配されている制御情報パック内のデータを解析手段が解析終了した時に解析手段への入力データの供給を停止させる停止制御手段を備えることによって、Ｃｅｌｌのヘッダ部分に記録された制御情報データの解析直後に停止することができる。そのため、例えば、セルスチル動作のように、連続して複数のＣｅｌｌについて再生及び停止を繰り返す場合であっても、各Ｃｅｌｌを円滑に再生することができる。
【００９３】
また、上記情報信号再生装置は、予めＣｅｌｌを装置内に取り込むことによって、例えば、セルスチル動作においても速やかに次々にＣｅｌｌを再生することができる。
【００９４】
本発明に係る情報信号再生方法は、セルのヘッダ部分に配されている制御情報パック内のデータを解析工程で解析終了した時に解析工程への入力データの供給を停止させる停止制御工程を備えることによって、Ｃｅｌｌのヘッダ部分に記録された制御情報データの解析直後に停止することができる。そのため、例えば、セルスチル動作のように、連続して複数のＣｅｌｌについて再生及び停止を繰り返す場合であっても、各Ｃｅｌｌを円滑に再生することができる。
【００９５】
また、上記情報信号再生方法は、予めＣｅｌｌを装置内に取り込むことによって、例えば、セルスチル動作においても速やかに次々にＣｅｌｌを再生することができる。
【図面の簡単な説明】
【図１】本発明の第１の実施の形態となるＤＶＤ再生装置の備えるデマルチプレクサの構成を示すブロック回路図である。
【図２】本発明の実施の形態となるＤＶＤ再生装置の構成を示すブロック回路図である。
【図３】上記ＤＶＤ再生装置が再生するＤＶＤのデータフォーマット図である。
【図４】上記ＤＶＤに記録されている映像パックのデータフォーマット図である。
【図５】上記ＤＶＤに記録されているナビゲーションパックのデータフォーマット図である。
【図６】上記ナビゲーションパックのＰＣＩパケット（ＰＣＩ＿ＰＫＴ）のデータフォーマット図である。
【図７】上記ナビゲーションパックのＤＳＩパケット（ＤＳＩ＿ＰＫＴ）のデータフォーマット図である。
【図８】上記ナビゲーションパックのシステムヘッダのデータフォーマット図である。
【図９】上記ＤＶＤ再生装置において、切り換えスイッチからナビゲーションパック書き込み用のバッファへのナビゲーションパックの送信状態を示すデータ送信図である。
【図１０】上記ＤＶＤ上に離れて記録されているＣｅｌｌＡ及びＣｅｌｌＢを示す記録フォーマット図である。
【図１１】上記ＣｅｌｌＡ、ＣｅｌｌＢが再生されるときに連続して読み込まれた各パックの状態を示すデータ読み込み状態図である。
【図１２】本発明の第２の実施の形態となるＤＶＤ再生装置の備えるデマルチプレクサの構成を示すブロック回路図である。
【符号の説明】
５  デマルチプレクサ、２１  ストリーム解析回路、２２  切り換えスイッチ、２４，２５  停止制御回路  １００  ＤＶＤ再生装置
【図１】
0003769863.tif 000004
【図２】
0003769863.tif 000005
【図３】
0003769863.tif 000006
【図４】
0003769863.tif 000007
【図５】
0003769863.tif 000008
【図６】
0003769863.tif 000009
【図７】
0003769863.tif 000010
【図８】
0003769863.tif 000011
【図９】
0003769863.tif 000012
【図１０】
0003769863.tif 000013
【図１１】
0003769863.tif 000014
【図１２】
0003769863.tif 000015